(57)【要約】  【課題】障子枠の着脱を１回の操作で行えるようにすることによって、障子枠の取付作業を大幅に簡略化する。  【解決手段】障子枠６の内、左右縦枠６Ｃ、６Ｄの外面側に、水平軸回りに回動自在に軸支されるとともに、ほぼ対向位置関係にある一方側辺に、断面Ｌ字状の係合片２ｃが形成されるとともに、他方側辺に断面Ｌ字状の係合片２ｄが形成され、かつ前記係合片２ｃ、２ｄの略中間位置から外方側に延在する回動操作部（２ｅ、２ｆ）が形成された回動板２を備える障子枠固定金具１を設けておき、前記障子枠固定金具１の係合片２ｃ、２ｄを前記下地枠５の開口溝５ａ内に挿入させながら障子枠６を設置した後、前記障子枠固定金具１の回動板２を回動させ、係合片２ｃ、２ｄを前記下地枠５の開口縁フランジ５ｂ、５ｂの内面側に係合させることにより障子枠６の固定を図る。【選択図】図４
2007051445.tif 000002
【特許請求の範囲】
【請求項１】
建物開口部の少なくとも左右の側に、左右一対の開口縁フランジにより部材長手方向に沿って内方側に臨む開口溝が形成された下地枠が配設され、この下地枠に対して障子枠を固定するための取付構造であって、
前記障子枠の内、左右縦枠の外面側に、水平軸回りに回動自在に軸支されるとともに、ほぼ対向位置関係にある一方側辺に、断面Ｌ字状の係合片が形成されるとともに、他方側辺に断面Ｌ字状の係合片が形成され、かつ前記係合片の略中間位置から外方側に延在する回動操作部が形成された回動板を備える障子枠固定金具を設けておき、
前記障子枠固定金具の係合片を前記下地枠の開口溝内に挿入させながら障子枠を設置した後、前記障子枠固定金具の回動板を回動させ、係合片を前記下地枠の開口縁フランジの内面側に係合させることにより障子枠の固定を図ることを特徴とする障子枠の取付構造。
【請求項２】
前記係合片の障子枠側の面に対し、障子枠固定操作時における回動方向側周縁部分に傾斜面が形成されている請求項１記載の障子枠の取付構造。
【発明の詳細な説明】
【技術分野】
【０００１】
本発明は、障子枠を構造体（下地枠）に簡便に固定するための取付構造に関する。
【背景技術】
【０００２】
従来より、障子枠を建屋外壁の開口部に取り付けるには、下地部材に直接障子枠をビス止めにより固定する方法が一般的であったが、設置に多くの作業時間を要するとともにサッシ形式の変更が困難となる問題があった。
【０００３】
特に、災害地域での仮設住宅や大規模建築現場での仮設現場事務所などにおけるプレハブ造住宅では、早期に施工でき、ある程度の耐久性を備えた障子枠の取付構造が望まれていた。
【０００４】
かかる課題を解決するために、障子枠を簡便に下地部材に取り付けるための構造が幾つか提案されている。例えば、下記特許文献１では、少なくとも上下枠材については、部材長手方向に沿って内方側に向けた開口溝が形成された部材を用いて四周枠が構成されるとともに、前記上下枠材に形成された開口溝、或いは前記上下枠材の開口溝を利用して設置された中間介在部材の障子嵌合凹部を利用して前記四周枠内に水平方向に隣接して各障子が建て込まれ、かつ左右縦枠材の少なくとも一方側に配設された障子押圧手段によって各障子に対して水平方向の押圧力が加えられている連設障子構造が記載されている。
【０００５】
また、下記特許文献２では、左右の柱に左右の縦枠を連結することで障子枠を左右の柱間に取付ける仮設ハウスの障子枠取付構造において、前記柱を、面内方向内側に開口した開口部と両側開口縁フランジを有する断面形状とし、前記縦枠を、少なくとも面内方向外側部分が柱の開口部内に面内方向より挿入する断面形状とし、前記縦枠に連結金具を、面外方向両端部よりも突出して両側開口縁フランジと相対向し、かつ面内方向に移動可能に取付け、この連結金具を面内方向に移動する連結用ビスを設けた仮設ハウスの障子枠取付構造が記載されている。
【特許文献１】特開２００３−３７５８号公報
【特許文献２】特開平８−２１００２６号公報
【発明の開示】
【発明が解決しようとする課題】
【０００６】
しかしながら、前記特許文献１記載の発明では、障子をケンドン方式によって嵌め込んだ後、左右縦枠材に配設された障子押圧手段によって押圧力を調整しながら固定を図る必要があるため、この作業に手間を要する欠点があった。
【０００７】
また、前記特許文献２記載の発明では、障子枠の縦枠を左右の柱に固定するには、左右の連結用ビスの調整により左右の連結金具を移動させて、これら左右の連結金具を左右の柱に圧接することによって固定を図るものであるため、左右の連結用ビスの調整に多くの手間を費やす欠点があった。
【０００８】
そこで本発明の主たる課題は、障子枠の取付け又は取外しを１回の回動操作で行えるようにすることによって、障子枠の取付作業及び撤去作業を大幅に簡略化することにある。
【課題を解決するための手段】
【０００９】
前記課題を解決するために請求項１に係る本発明として、建物開口部の少なくとも左右の側に、左右一対の開口縁フランジにより部材長手方向に沿って内方側に臨む開口溝が形成された下地枠が配設され、この下地枠に対して障子枠を固定するための取付構造であって、
前記障子枠の内、左右縦枠の外面側に、水平軸回りに回動自在に軸支されるとともに、ほぼ対向位置関係にある一方側辺に、断面Ｌ字状の係合片が形成されるとともに、他方側辺に断面Ｌ字状の係合片が形成され、かつ前記係合片の略中間位置から外方側に延在する回動操作部が形成された回動板を備える障子枠固定金具を設けておき、
前記障子枠固定金具の係合片を前記下地枠の開口溝内に挿入させながら障子枠を設置した後、前記障子枠固定金具の回動板を回動させ、係合片を前記下地枠の開口縁フランジの内面側に係合させることにより障子枠の固定を図ることを特徴とする障子枠の取付構造が提供される。
【００１０】
前記請求項１記載の発明は、障子枠を下地枠に設置した状態で、障子枠固定金具の回動板を回動させる１回の操作で固定を図ることができ、ねじによる締結や調整が不要となることから、障子枠の取付作業及び撤去作業を大幅に簡略化できるようになる。
【００１１】
請求項２に係る本発明として、前記係合片の障子枠側の面に対し、障子枠固定操作時における回動方向側周縁部分に傾斜面が形成されている請求項１記載の障子枠の取付構造が提供される。
【００１２】
前記請求項２記載の発明は、回動板を回動させて障子枠を下地枠に固定する際、前記係合片の傾斜面が開口縁フランジの内面に係合する際のガイドとなって、スムーズな取付作業が可能となる。
【発明の効果】
【００１３】
以上詳説のとおり本発明によれば、障子枠の取付け又は取外しを１回の回動操作で行えるようにすることによって、障子枠の取付作業及び撤去作業を大幅に簡略化できるようになる。
【発明を実施するための最良の形態】
【００１４】
以下、本発明の実施の形態について図面を参照しながら詳述する。
図１は、下地枠５に対する障子枠６の取付状態を示す正面図である。図２は図１のII−II断面図である。
【００１５】
図１及び図２に示すように、本サッシ構造は、プレハブ等の外壁に設けられた開口部の周囲に、断面Ｃ字状の溝型鋼等からなる下地枠５が固定され、障子７が嵌め込まれる障子枠６が本発明に係る障子枠固定金具１（以下、単に固定金具という。）によって固定されたものである。
【００１６】
図３に基づいて、本発明に係る固定金具１の構造について以下説明する。
【００１７】
固定金具１は、障子枠６の内、左右縦枠６Ｃ、６Ｄの外面に固定される固定板３と、前記固定板３に対して連結ピン４により水平軸回りに回動自在に設けられ、前記下地枠５に係合し障子枠６を固定するための回動板２とから構成される金具である。
【００１８】
前記固定板３は、上下端部の取付用座部３ｃ、３ｃと、これら取付用座部３ｃ、３ｃの中央に位置し、前記取付用座部３ｃ、３ｃの面よりも外側（下地枠５側）に突出するように屈曲成形された回動板取付部３ｂとから構成される。前記取付用座部３ｃ、３ｃにはそれぞれビス固定用ネジ孔３ｄ、３ｄが形成され、前記回動板取付部３ｂには連結ピン４の連結孔３ａが形成されている。
【００１９】
前記回動板２は、前記固定板３との連結を図るための連結孔２ａが形成された基板２ｂに対し、該基板２ｂの周縁の内、ほぼ対向する位置関係にある一方側辺に、前記基板２ｂの面よりも下地枠５側に起立板面が偏倚するように断面Ｌ字状の係合片２ｃが形成されるとともに、他方側辺に前記基板２ｂの面よりも下地枠５側に起立板面が偏倚するように断面Ｌ字状の係合片２ｄが形成され、かつ回動操作部として、前記係合片２ｃ、２ｄの略中間位置から外方側に延在するブラケット片２ｅが形成されるとともに、このブラケット片２ｅの先端部分に障子枠６側にＬ字状に屈曲する把手２ｆが設けられている。
【００２０】
また、前記係合片２ｃ、２ｄにおいては、起立板面の障子枠６側の面に対して、障子枠固定時の回動方向側周縁部分に傾斜面２ｇが形成され、後述するように、下地枠５に対する係合が円滑に行われるようになっている。
【００２１】
一方、前記連結ピン４は、前記回動板２と固定板３にそれぞれ設けられた連結孔２ａ、３ａより大きな外形を成す頭部４ａと、前記連結孔２ａ、３ａに貫通する軸部４ｂとから構成され、連結孔２ａ、３ａに軸部４ｂを挿入した後、反対側でかしめて、前記回動板２を固定板３に対して回動自在に連結する。
【００２２】
次に、図４〜７に基づいて、本発明の固定金具１を用いて前記障子枠６を下地枠５に固定する方法について説明する。図４は固定金具１の障子枠６への取付状態を示す斜視図、図５及び図６は固定金具１による障子枠６の固定要領を示す正面図（説明のため障子枠６の記載は省略）、図７は障子枠６の固定状態を示す横断面である。
【００２３】
以下具体的に詳述すると、先ずプレハブ等の外壁に設けられた開口の周囲に、下地枠５を固定する。この下地枠５は、四周枠を構成する各下地枠５Ａ〜５Ｄの内、少なくとも左右の下地枠５Ｃ、５Ｄについては、図４に示されるように、障子枠６側に向けて、左右一対の開口縁フランジ５ｂ、５ｂによって開口溝５ａが形成された部材であればよく、断面Ｃ字状の溝型鋼が好適に使用される。
【００２４】
次に、前記固定金具１を障子枠６の内、左右縦枠６Ｃ、６Ｄの外面側に対して所定数だけ取り付ける。取付数は、障子枠６の寸法にもよるが、縦枠６Ｃ、６Ｄの上下部を含み、少なくとも２箇所以上取り付けるようにするのが望ましい。固定金具１の障子枠６への取付けは、図４に示すように、固定金具１の取付部位において、前記固定板３のビス固定用ネジ孔３ｄ、３ｄに対応するように、左右縦枠６Ｃ、６Ｄにビス孔６ａ、６ａを形成し、縦枠６Ｃ、６Ｄの外面側に固定板３をあてがい、ビス８、８を内側から螺入し、固定板３を締結する。
【００２５】
固定金具１が取り付けられた障子枠６を下地枠５に固定するには、固定金具１の係合片２ｃ、２ｄが下地枠５の開口溝５ａ内に位置するように配向、すなわち、図５に示されるように、係合片２ｃ、２ｄが上下の配置関係となり、把手２ｆが水平方向となるように回動板２を配向しておき、左縦枠６Ｃ、右縦枠６Ｄ或いは右縦枠６Ｄ、左縦枠６Ｃの順で（所謂、横ケンドン方式で）、回動板２の係合片２ｃ、２ｄを下地枠５の内部に挿入させながら、障子枠６を下地枠５の内側に設置する。
【００２６】
その後、把手２ｆを手で掴み、図６に示されるように、回動板２を把手２ｆが垂直になる位置まで反時計方向（図５の矢印方向）に回動させる。これにより、係合片２ｃ、２ｄは、図７に示されるように、下地枠５の開口縁フランジ５ｂの内面側に係合し、障子枠６が下地枠５に対して堅固に固定される。また、障子枠６と下地枠５との間の隙間はシール材（図示せず）によって封鎖される。
【００２７】
前記回動板２を回動させて係合片２ｃ、２ｄを下地枠５の開口縁フランジ５ｂの内面側に係合させる際、前記係合片２ｃ、２ｄに傾斜面２ｇが形成されていることにより、係合片２ｃ、２ｄが開口縁フランジ５ｂの内面側に容易に係合させることができ、かつ回動板２の回動動作に伴って障子枠６を下地枠５側に引寄せることにより障子枠６をガタ付くことなくきっちりと固定できるようになる。
【００２８】
ところで、前記障子枠６の取り外しは、前述の操作とは逆に、固定金具１の把手２ｆを水平の位置まで戻すことによって、簡単に行うことができる。
【００２９】
〔他の形態例〕
(1)上記形態例では、下地枠５として、図１に示されるように、上枠５Ａ、下枠５Ｂ及び左右枠５Ｃ、５Ｄからなる方形枠を用いたが、少なくとも左右の下地枠５Ｃ、５Ｄのみであってもよい。
(2)上記形態例では、固定金具１は、左右縦枠６Ｃ、６Ｄに固定するための固定板３と、該固定板３に対して連結ピン４によって回動自在に軸支される回動板２とから構成したが、前記回動板２に軸部を一体的に設けておき、位置調整のためのフィラー（薄板）を介して前記左右縦枠６Ｃ、６Ｄに直接的に取り付けるようにしてもよい。
【図面の簡単な説明】
【００３０】
【図１】下地枠５に対する障子枠６の取付状態を示す正面図である。
【図２】図１のII−II断面図である。
【図３】固定金具１の分解斜視図である。
【図４】固定金具１の障子枠６への取付状態を示す斜視図である。
【図５】固定金具１による障子枠６の固定要領（その１）を示す図である。
【図６】固定金具１による障子枠６の固定要領（その２）を示す図である。
【図７】固定金具１による障子枠６の固定状態を示す横断面図である。
【符号の説明】
【００３１】
１…固定金具、２…回動板、３…固定板、４…連結ピン、５…下地枠、６…障子枠、７…障子
【図１】
2007051445.tif 000003
【図２】
2007051445.tif 000004
【図３】
2007051445.tif 000005
【図４】
2007051445.tif 000006
【図５】
2007051445.tif 000007
【図６】
2007051445.tif 000008
【図７】
2007051445.tif 000009